(57)【要約】【課題】画像の表示倍率を変更する操作におけるユーザーの操作性を向上させることが可能な表示入力装置を提供する。【解決手段】この表示入力装置では、液晶表示部１２は、プレビュー画像Ｐを表示している最中に、タッチパネル部１１の所定の１点をタッチし、その所定の１点をタッチするのと同時にまたは所定の１点をタッチしたまま予め定められた時間内に、所定の１点とは別の１点をタッチする操作である表示倍率変更操作が行われたとき、複数に分類された表示倍率のうち、表示倍率変更操作時に最初に検知された２点間距離に対応する表示倍率でプレビュー画像Ｐを表示する。【選択図】図６
2014063428.tif 000002
【特許請求の範囲】
【請求項１】
画像を表示する表示部と、
前記表示部に対して設けられ、ユーザーがタッチしている複数のタッチ位置を検知するためのタッチパネル部と、
前記タッチパネル部の出力に基づき、前記タッチパネル部の２点がタッチされたときの２点のタッチ位置の間隔である２点間距離を検知する検知部と、
複数に分類された表示倍率のそれぞれに、互いに異なる大きさの前記２点間距離を対応付けた表示倍率判別情報を予め記憶する記憶部と、を備え、
前記表示部は、画像を表示している最中に、前記タッチパネル部の所定の１点をタッチし、前記所定の１点をタッチするのと同時にまたは前記所定の１点をタッチしたまま予め定められた時間内に、前記所定の１点とは別の１点をタッチする操作である表示倍率変更操作が行われたとき、前記複数に分類された表示倍率のうち、前記表示倍率変更操作時に最初に検知された前記２点間距離に対応する表示倍率で画像を表示することを特徴とする表示入力装置。
【請求項２】
前記表示部は、前記表示倍率変更操作時に最初に検知された前記２点間距離に対応する前記表示倍率が現時点の表示倍率よりも高ければ、現時点の画像から前記現時点の画像を拡大した画像への表示切り換えを行い、前記表示倍率変更操作時に最初に検知された前記２点間距離に対応する前記表示倍率が前記現時点の表示倍率よりも低ければ、前記現時点の画像から前記現時点の画像を縮小した画像への表示切り換えを行うことを特徴とする請求項１に記載の表示入力装置。
【請求項３】
前記表示部は、前記表示倍率変更操作時に最初に検知された前記２点間距離に対応する前記表示倍率が前記現時点の表示倍率と同じであれば、前記現時点の画像から前記現時点の画像を拡大または縮小した画像への表示切り換えを行わないことを特徴とする請求項２に記載の表示入力装置。
【請求項４】
前記表示部は、前記複数に分類された表示倍率にそれぞれ対応付ける前記２点間距離の変更を受け付けるための設定変更画面を表示し、
前記タッチパネル部は、前記表示部が表示した前記設定変更画面での設定変更操作を受け付け、
前記記憶部は、前記タッチパネル部が受け付けた前記設定変更操作に基づき、前記表示倍率判別情報の更新を行うことを特徴とする請求項１〜３のいずれかに記載の表示入力装置。
【請求項５】
請求項１〜４のいずれかに記載の表示入力装置を備えた画像形成装置。
【発明の詳細な説明】
【技術分野】
【０００１】
本発明は、表示入力装置および画像形成装置に関する。
【背景技術】
【０００２】
画像形成装置は、ジョブの実行に際して設定値の変更が可能な設定項目を複数有する。このため、画像形成装置には、複数の設定項目のうち設定値を変更する設定項目の選択指示、および、選択された設定項目の設定値の入力指示などを受け付けるための表示入力装置が備えられるのが一般的である。
【０００３】
表示入力装置には、ハードキーの他に、ソフトキーやメッセージなどを表示するタッチパネル付きの表示部が設けられる場合がある。このような表示入力装置では、たとえば、各種設定を受け付けるためのソフトキーを表示部に表示させ、タッチパネルの出力に基づき、タッチパネルを介してタッチされたソフトキーを検知する。
【０００４】
ところで、表示入力装置によっては、プレビュー機能を有するものがある（たとえば、特許文献１参照）。なお、プレビュー機能というのは、ユーザーが指定した画像データに基づく画像であるプレビュー画像を表示する機能のことである。たとえば、表示入力装置は、プレビュー機能の実行指示を受けると、プレビュー画像を予め定められた表示倍率で表示する。しかし、プレビュー画像の表示倍率が予め定められていると、プレビュー画像が表示画面に対して大きくなり過ぎるあるいは小さくなり過ぎて見難いことがある。
【０００５】
そこで、特許文献１では、プレビュー画像を表示するとき、プレビュー画像の表示倍率の変更指示を受け付けるための表示倍率変更キー（拡大キーおよび縮小キー）をプレビュー画像と共に表示するようにしている。これにより、ユーザーは、プレビュー画像を表示させた後、表示倍率変更キーを操作することで、プレビュー画像の表示倍率を所望の表示倍率に変更することができる。
【先行技術文献】
【特許文献】
【０００６】
【特許文献１】特開２０１２−１２３０２８号公報
【発明の概要】
【発明が解決しようとする課題】
【０００７】
しかしながら、特許文献１では、表示倍率変更キーが１回タッチされる毎に、予め定められた値ずつプレビュー画像の表示倍率を変更するようになっている。このため、現時点の表示倍率と所望の表示倍率とが大きく異なっている場合には、現時点の表示倍率を所望の表示倍率にするため、表示倍率変更キーに対するタッチ操作を数多く繰り返す必要がある。したがって、ユーザーからすると、手指を動かす回数が多くなり、操作性が悪い。
【０００８】
本発明は、上記の課題を解決するためになされたものであり、画像の表示倍率を変更する操作におけるユーザーの操作性を向上させることが可能な表示入力装置および画像形成装置を提供することを目的とする。
【課題を解決するための手段】
【０００９】
上記の目的を達成するために、本発明の表示入力装置は、画像を表示する表示部と、表示部に対して設けられ、ユーザーがタッチしている複数のタッチ位置を検知するためのタッチパネル部と、タッチパネル部の出力に基づき、タッチパネル部の２点がタッチされたときの２点のタッチ位置の間隔である２点間距離を検知する検知部と、複数に分類された表示倍率のそれぞれに、互いに異なる大きさの２点間距離を対応付けた表示倍率判別情報を予め記憶する記憶部と、を備える。そして、表示部は、画像を表示している最中に、タッチパネル部の所定の１点をタッチし、その所定の１点をタッチするのと同時にまたは所定の１点をタッチしたまま予め定められた時間内に、所定の１点とは別の１点をタッチする操作である表示倍率変更操作が行われたとき、複数に分類された表示倍率のうち、表示倍率変更操作時に最初に検知された２点間距離に対応する表示倍率で画像を表示する。なお、本発明の表示倍率変更操作は、タッチパネル部に対する２点のタッチ後、タッチ位置をスライドさせる操作や、２点のタッチ位置の間隔を変動させる操作（すなわち、ピンチイン操作およびピンチアウト操作など）を含まない。
【００１０】
本発明の構成によると、現時点の表示倍率を所望の表示倍率に変更する（現時点の画像から現時点の画像を拡大または縮小した画像への表示切り換えを行う）とき、２点のタッチ位置の間隔が所望の表示倍率に対応付けられた２点間距離となるように、タッチパネル部の所定の１点をタッチし、その所定の１点をタッチするのと同時にまたは所定の１点をタッチしたまま予め定められた時間内に、所定の１点とは別の１点をタッチする操作（すなわち、２点タッチ操作）を行うだけでよくなる。すなわち、現時点の表示倍率が所望の表示倍率になるまでタッチパネル部に対するタッチを繰り返し行ったり、タッチパネル部に対するタッチ後に何らかのジェスチャーを行ったりする必要がない（たとえば、タッチ位置をスライドさせたり、２点のタッチ位置の間隔を変動させたりする必要がない）。これにより、画像の表示倍率を変更する操作において、ユーザーの手指の動きを減らすことができるので、ユーザーの操作性が向上する。
【００１１】
また、画像の表示倍率の変更を受け付けるためのハードキーを設ける必要がないので、コストダウンを図ることができる。さらに、画像の表示倍率の変更を受け付けるためのソフトキーを画面上に表示する必要もなくなるので、画面上のスペースを有効利用することができる（たとえば、表示倍率の変更対象となる画像の表示スペースを大きくとることができる）。
【発明の効果】
【００１２】
以上のように、本発明によれば、画像の表示倍率を変更する操作におけるユーザーの操作性を向上させることができる。
【図面の簡単な説明】
【００１３】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（プレビュー画像が配されたプレビュー画面）の一例を示した図
【図５】図１に示した画像形成装置の表示入力装置においてプレビュー画像の表示倍率を変更するときの操作について説明するための図
【図６】図１に示した画像形成装置の表示入力装置においてプレビュー画像の表示倍率を最小倍率から中間倍率に変更するときに行われる表示倍率変更操作について説明するための図
【図７】図１に示した画像形成装置の表示入力装置においてプレビュー画像の表示倍率を最小倍率から最大倍率に変更するときに行われる表示倍率変更操作について説明するための図
【図８】図１に示した画像形成装置の表示入力装置においてプレビュー画像の表示倍率を最大倍率から中間倍率に変更するときに行われる表示倍率変更操作について説明するための図
【図９】図１に示した画像形成装置の表示入力装置においてプレビュー画像の表示倍率を最大倍率から最小倍率に変更するときに行われる表示倍率変更操作について説明するための図
【図１０】図１に示した画像形成装置の表示入力装置においてプレビュー画像の表示倍率を中間倍率から最小倍率に変更するときに行われる表示倍率変更操作について説明するための図
【図１１】図１に示した画像形成装置の表示入力装置においてプレビュー画像の表示倍率を中間倍率から最大倍率に変更するときに行われる表示倍率変更操作について説明するための図
【図１２】図１に示した画像形成装置の表示入力装置において表示倍率変更操作が行われたにもかかわらずプレビュー画像の表示倍率を変更しない場合について説明するための図
【図１３】図１に示した画像形成装置の表示入力装置に表示される画面（設定変更画面）の一例を示した図
【図１４】図１に示した画像形成装置の表示入力装置において表示倍率変更操作が行われたときの動作を説明するためのフローチャート
【図１５】図１に示した画像形成装置の表示入力装置に表示される画面（プレビュー画像と共にガイド情報が配されたプレビュー画面）の一例を示した図
【発明を実施するための形態】
【００１４】
以下に、本発明の一実施形態による表示入力装置を備えた画像形成装置について、コピージョブや送信（スキャン）ジョブなどの複数種のジョブの実行が可能な画像形成装置（複合機）を例にとって説明する。
【００１５】
（画像形成装置の全体構成）
図１に示すように、本実施形態の画像形成装置１００は、操作パネル１０１、原稿搬送部１０２Ａ、画像読取部１０２Ｂ、給紙部１０３、用紙搬送部１０４、画像形成部１０５、定着部１０６および後処理部１０７を備える。なお、操作パネル１０１は、本発明の「表示入力装置」に相当する。
【００１６】
操作パネル１０１は、たとえば、装置正面側に配置される。この操作パネル１０１は、図２に示すように、表示面上にタッチパネル部１１が設けられた液晶表示部１２（本発明の「表示部」に相当）を含む。タッチパネル部１１は、ユーザーがタッチした複数のタッチ位置を同時に検知可能なマルチタッチパネルであり、１点をタッチするタッチ操作である１点タッチ操作だけでなく、２点を略同時にタッチするタッチ操作である２点タッチ操作も受け付ける。
【００１７】
液晶表示部１２は、たとえば、各種設定をユーザーから受け付けるためのソフトキーやメッセージなどを表示する。そして、液晶表示部１２に表示されたソフトキーをユーザーがタッチすると、タッチパネル部１１の出力に基づき、ユーザーがタッチしたソフトキー（すなわち、タッチ位置の座標）が検知される。
【００１８】
なお、操作パネル１０１には、数値入力を受け付けるためのテンキー１３や各種ジョブの実行指示を受け付けるためのスタートキー１４などのハードキーが設けられていてもよい。
【００１９】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２０】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づき印刷を行うことができる。また、スキャンによって得られた画像データを蓄積することもできる。
【００２１】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２２】
用紙搬送部１０４は、装置内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２３】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６を含む。
【００２４】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２５】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００２６】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含む。そして、トナー像が転写された用紙Ｐは、定着ローラー６１と加圧ローラー６２との間を通過することで、加熱・加圧される。これにより、用紙Ｐにトナー像が定着され、印刷が完了する。
【００２７】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００２８】
（画像形成装置のハードウェア構成）
図３に示すように、画像形成装置１００は、主制御部１１０を備える。主制御部１１０は、ＣＰＵ１１１、画像処理部１１２および記憶部１１３を含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、ジョブの実行に必要なプログラムおよびデータがＲＯＭに記憶され、それらプログラムおよびデータがＲＡＭに展開される。
【００２９】
この主制御部１１０には、原稿搬送部１０２Ａ、画像読取部１０２Ｂ、給紙部１０３、用紙搬送部１０４、画像形成部１０５、定着部１０６および後処理部１０７が接続される。そして、主制御部１１０は、記憶部１１３に記憶されたプログラムおよびデータに基づき、全体制御、画像処理制御、および、各種モーターの駆動制御などを行う。
【００３０】
また、主制御部１１０には、操作パネル１０１も接続される。そして、操作パネル１０１は、主制御部１１０と接続される表示制御部１５（本発明の「検知部」に相当）を含む。表示制御部１５は、主制御部１１０から指示を受け、操作パネル１０１の表示動作を制御する。たとえば、表示制御部１５は、液晶表示部１２に表示させたソフトキーがユーザーによってタッチされると、タッチパネル部１１の出力に基づきタッチ位置（座標）を検知する。すなわち、表示制御部１５は、ユーザーがタッチしたソフトキーを検知する。この表示制御部１５には記憶部１６が接続され、たとえば、タッチパネル部１１の出力とタッチ位置（座標）との対応を示すデータが記憶部１６に記憶される。
【００３１】
また、主制御部１１０には、通信部１２０が接続される。通信部１２０は、たとえば、外部のコンピューター２００（ユーザー端末やサーバーなど）とネットワークを介して通信可能に接続される。これにより、コンピューター２００から送信された画像データに基づき印刷を行うことができ、スキャンによって得られた画像データをコンピューター２００に送信することもできる。さらに、通信部１２０にモデムなどを内蔵してもよく、この場合、電話回線などのネットワークを介して、外部のファックス装置３００とファックス通信を行うことができる。
【００３２】
（画像データに基づく画像の表示）
操作パネル１０１は、ユーザーが指定した画像データに基づく画像を表示するプレビュー機能を有する。たとえば、操作パネル１０１は、ユーザーの指示に従い、スキャンによって得られた画像データに基づく画像や、コンピューター２００から送信された画像データに基づく画像などを表示する。これにより、ユーザーは、印刷ジョブの実行に際して、印刷結果を前以て確認することができるようになる。
【００３３】
たとえば、表示制御部１５は、プレビュー機能を実行するための操作をユーザーから受け付けると、図４に示すように、プレビュー画像Ｐ（ユーザーが指定した画像データに基づく画像）を配したプレビュー画面ＰＳを液晶表示部１２に表示させる。このとき、液晶表示部１２は、予め定められた表示倍率でプレビュー画像Ｐを表示する。
【００３４】
（表示倍率の変更）
従来では、プレビュー画像Ｐの表示倍率の変更指示を受け付けるための表示倍率変更キー（ソフトキー）をプレビュー画像Ｐと共にプレビュー画面ＰＳに配するのが一般的であった。しかし、本実施形態では、表示倍率変更キーをプレビュー画面ＰＳには配さない。その代わり、タッチパネル部１１の２点が略同時にタッチされたとき、そのタッチされた２点のタッチ位置の間隔（タッチパネル部１１をタッチした２本の指の間隔）に応じて、プレビュー画像Ｐの表示倍率を変更する。なお、以下の説明では、プレビュー画像Ｐの表示倍率を変更するためのタッチ操作（タッチパネル部１１の２点を略同時にタッチする操作）を表示倍率変更操作と称し、２点のタッチ位置の間隔を２点間距離と称する。
【００３５】
具体的には、表示制御部１５は、タッチパネル部１１の所定の１点がタッチされ、その所定の１点をタッチするのと同時にまたは所定の１点をタッチしたまま予め定められた時間内に、所定の１点とは別の１点がタッチされたとき、表示倍率変更操作が行われたと判断する。タッチパネル部１１に対して表示倍率変更操作が行われると、表示倍率変更操作時の２点間距離が表示制御部１５によって算出される。たとえば、表示制御部１５は、タッチパネル部１１の出力に基づき最初にタッチされた２点のタッチ位置（座標）を検知し、その検知結果から２点間距離を算出する。
【００３６】
その後、表示制御部１５は、算出した２点間距離に対応する表示倍率を判別する。このとき、表示制御部１５は、記憶部１６に予め記憶された表示倍率判別情報を参照し、表示倍率変更操作時の２点間距離に対応する表示倍率を判別する。たとえば、表示倍率判別情報というのは、複数に分類された表示倍率のそれぞれに、互いに異なる大きさの２点間距離を対応付けた情報である。一例として、２点間距離が大きいほど表示倍率が高くなるように、複数に分類された表示倍率が互いに異なる大きさの２点間距離に対応付けられる。
【００３７】
そして、表示制御部１５は、表示倍率変更操作時の２点間距離に対応する表示倍率を判別すると、液晶表示部１２に指示し、算出した２点間距離に対応する表示倍率でプレビュー画像Ｐを表示させる。すなわち、液晶表示部１２は、プレビュー画像Ｐを表示している最中に、タッチパネル部１１に対して表示倍率変更操作が行われたとき、複数に分類された表示倍率のうち、表示倍率変更操作時に最初に検知された２点間距離に対応する表示倍率でプレビュー画像Ｐを表示する。
【００３８】
以下に、表示倍率変更操作についてより詳細に説明する。なお、以下の説明では、最小倍率（標準倍率）、最小倍率よりも高い中間倍率（最小倍率の２倍）、および、中間倍率よりも高い最大倍率（最小倍率の４倍）、の３段階に表示倍率が分類されているとする。そして、図５に示すように、２点間距離（表示倍率変更操作時の２本の指の間隔）が大きいほど対応する表示倍率が高くなるように設定されているとする。すなわち、２点間距離Ｌ１、Ｌ２およびＬ３の関係がＬ１＜Ｌ２＜Ｌ３となっていれば、２点間距離Ｌ１が最小倍率に対応付けられるとともに、２点間距離Ｌ２が中間倍率に対応付けられ、２点間距離Ｌ３が最大倍率に対応付けられる。
【００３９】
まず、液晶表示部１２は、プレビュー機能の実行指示をユーザーから受け付けると、図４に示したように、ユーザーが指定した画像データに基づくプレビュー画像Ｐを最小倍率で表示する（プレビュー画像Ｐを最小サイズで表示する）。
【００４０】
そして、液晶表示部１２がプレビュー画像Ｐを最小倍率で表示している最中に、タッチパネル部１１に対して表示倍率変更操作が行われ、そのときの２点間距離に対応する表示倍率が最小倍率よりも高ければ、液晶表示部１２は、現時点のプレビュー画像Ｐから現時点のプレビュー画像Ｐを拡大したプレビュー画像Ｐへの表示切り換えを行う。たとえば、液晶表示部１２は、表示倍率変更操作時の２点間距離が中間倍率に対応する２点間距離Ｌ２であれば、図６に示すように、プレビュー画像Ｐを中間倍率で表示する。すなわち、プレビュー画像Ｐの表示サイズが現時点のサイズ（最小サイズ）の２倍に拡大される。一方で、液晶表示部１２は、表示倍率変更操作時の２点間距離が最大倍率に対応する２点間距離Ｌ３であれば、図７に示すように、プレビュー画像Ｐを最大倍率で表示する。すなわち、プレビュー画像Ｐの表示サイズが現時点のサイズ（最小サイズ）の４倍に拡大される。
【００４１】
次に、液晶表示部１２がプレビュー画像Ｐを最大倍率で表示している最中に、タッチパネル部１１に対して表示倍率変更操作が行われたとする。この場合、表示倍率変更操作時の２点間距離に対応する表示倍率が最大倍率よりも低ければ、液晶表示部１２は、現時点のプレビュー画像Ｐから現時点のプレビュー画像Ｐを縮小したプレビュー画像Ｐへの表示切り換えを行う。たとえば、液晶表示部１２は、表示倍率変更操作時の２点間距離が中間倍率に対応する２点間距離Ｌ２であれば、図８に示すように、プレビュー画像Ｐを中間倍率で表示する。すなわち、プレビュー画像Ｐの表示サイズが現時点のサイズ（最大サイズ）の１／２倍に縮小される。一方で、液晶表示部１２は、表示倍率変更操作時の２点間距離が最小倍率に対応する２点間距離Ｌ１であれば、図９に示すように、プレビュー画像Ｐを最小倍率で表示する。すなわち、プレビュー画像Ｐの表示サイズが現時点のサイズ（最大サイズ）の１／４倍に縮小される。
【００４２】
次に、液晶表示部１２がプレビュー画像Ｐを中間倍率で表示している最中に、タッチパネル部１１に対して表示倍率変更操作が行われたとする。この場合、表示倍率変更操作時の２点間距離に対応する表示倍率が中間倍率よりも低い最小倍率（２点間距離Ｌ１に対応する倍率）であれば、図１０に示すように、液晶表示部１２はプレビュー画像Ｐを最小倍率で表示する。すなわち、プレビュー画像Ｐの表示サイズが現時点のサイズ（中間サイズ）の１／２倍に縮小される。一方で、表示倍率変更操作時の２点間距離に対応する表示倍率が中間倍率よりも高い最大倍率（２点間距離Ｌ３に対応する倍率）であれば、図１１に示すように、液晶表示部１２はプレビュー画像Ｐを最大倍率で表示する。すなわち、プレビュー画像Ｐの表示サイズが現時点のサイズ（中間サイズ）の２倍に拡大される。
【００４３】
なお、液晶表示部１２は、プレビュー画像Ｐを表示している最中に、タッチパネル部１１に対して表示倍率変更操作が行われたとしても、そのときの２点間距離に対応する表示倍率が現時点で表示しているプレビュー画像Ｐの表示倍率と同じであれば、プレビュー画像Ｐの表示倍率を変更せずに現時点の表示倍率のまま保持する（プレビュー画像Ｐの表示サイズを変更しない）。たとえば、図１２に示すように、液晶表示部１２がプレビュー画像Ｐを中間倍率で表示している最中に、タッチパネル部１１に対して表示倍率変更操作が行われたとする。この場合、表示倍率変更操作時の２点間距離が中間倍率に対応する２点間距離Ｌ２であれば、液晶表示部１２は、プレビュー画像Ｐの表示サイズを拡大もしないし、縮小もしない。また、図示しないが、プレビュー画像Ｐを最小倍率で表示している場合あるいはプレビュー画像Ｐを最大倍率で表示している場合も同様である。
【００４４】
ところで、本実施形態では、複数に分類された表示倍率（最小倍率、中間倍率および最大倍率）にそれぞれ対応付ける２点間距離の設定変更をユーザーから受け付ける。この設定変更をユーザーから受け付けるとき、たとえば、液晶表示部１２は、図１３に示すような設定変更画面ＳＳを表示する。また、タッチパネル部１１は、液晶表示部１２が表示した設定変更画面ＳＳでの設定変更操作を受け付ける。そして、記憶部１６は、タッチパネル部１１が受け付けた設定変更操作に基づき、表示倍率判別情報の更新を行う。
【００４５】
設定変更画面ＳＳには、複数に分類された表示倍率と同数の２点間距離入力欄Ｃ１〜Ｃ３が配される。これら２点間距離入力欄Ｃ１〜Ｃ３は、それぞれ、最小倍率、中間倍率および最大倍率に対応する。そして、２点間距離入力欄Ｃ１〜Ｃ３には、現時点の設定値を示すテキストが表示される。
【００４６】
たとえば、タッチパネル部１１は、２点間距離入力欄Ｃ１〜Ｃ３のうちいずれかの入力欄がタッチされることで、その入力欄に対応する設定値を変更対象として確定する旨を受け付け、続けて、プラスキーＫ１またはマイナスキーＫ２がタッチされることで、変更対象の設定値を変更（増減）する旨を受け付ける。このとき、液晶表示部１２は、プラスキーＫ１またはマイナスキーＫ２に対するタッチ回数に応じて、変更対象の設定値を示すテキストの表示を順次切り替える。この後、記憶部１６は、ＯＫキーがタッチされることで、現時点の設定値を変更後の設定値に書き換える。
【００４７】
（プレビュー画像の表示倍率を変更するときの流れ）
以下に、図１４を参照して、プレビュー画像Ｐの表示倍率を変更するときの流れについて説明する。
【００４８】
まず、図１４のフローチャートのスタート時点では、液晶表示部１２がプレビュー画像Ｐを配したプレビュー画面ＰＳを表示しているとする。そして、液晶表示部１２がプレビュー画像Ｐを表示している最中に、タッチパネル部１１の所定の１点をタッチし、その所定の１点をタッチするのと同時にまたは所定の１点をタッチしたまま予め定められた時間内に、所定の１点とは別の１点をタッチする操作（表示倍率変更操作）が行われたとき、図１４のフローチャートがスタートする。
【００４９】
ステップＳ１において、表示制御部１５は、表示倍率変更操作時に最初にタッチされた２点のタッチ位置（座標）を検知し、その検知結果から２点間距離を算出する。続いて、ステップＳ２において、表示制御部１５は、記憶部１６に記憶された表示倍率判別情報を参照し、表示倍率変更操作時の２点間距離に対応する表示倍率を判別する。
【００５０】
ステップＳ３において、表示制御部１５は、判別した表示倍率（表示倍率変更操作時の２点間距離に対応する表示倍率）が現時点の表示倍率と同じであるか否かを判断する。判断の結果、判別した表示倍率が現時点の表示倍率と同じでなければ、ステップＳ４に移行する。
【００５１】
ステップＳ４に移行すると、表示制御部１５は、判別した表示倍率（表示倍率変更操作時の２点間距離に対応する表示倍率）が現時点の表示倍率よりも高いか否かを判断する。判断の結果、判別した表示倍率（表示倍率変更操作時の２点間距離に対応する表示倍率）が現時点の表示倍率よりも高ければ、ステップＳ５に移行し、判別した表示倍率（表示倍率変更操作時の２点間距離に対応する表示倍率）が現時点の表示倍率よりも高くはなく低ければ、ステップＳ６に移行する。
【００５２】
ステップＳ４からステップＳ５に移行した場合には、表示制御部１５は、液晶表示部１２に指示し、現時点のプレビュー画像Ｐから現時点のプレビュー画像Ｐを拡大したプレビュー画像Ｐへの表示切り換えを行わせる（ただし、このときの表示倍率は判別した表示倍率とする）。一方で、ステップＳ４からステップＳ６に移行した場合には、表示制御部１５は、液晶表示部１２に指示し、現時点のプレビュー画像Ｐから現時点のプレビュー画像Ｐを縮小したプレビュー画像Ｐへの表示切り換えを行わせる（ただし、このときの表示倍率は判別した表示倍率とする）。
【００５３】
なお、ステップＳ３において、判別した表示倍率（表示倍率変更操作時の２点間距離に対応する表示倍率）が現時点の表示倍率と同じで合った場合には、現時点のプレビュー画像Ｐから現時点のプレビュー画像Ｐを拡大または縮小したプレビュー画像Ｐへの表示切り換えを行わず、そのまま終了する。
【００５４】
本実施形態の操作パネル１０１（表示入力装置）は、上記のように、プレビュー画像Ｐ（画像）を表示する液晶表示部１２（表示部）と、液晶表示部１２に対して設けられ、ユーザーがタッチしている複数のタッチ位置を検知するためのタッチパネル部１１と、タッチパネル部１１の出力に基づき、タッチパネル部１１の２点がタッチされたときの２点のタッチ位置の間隔である２点間距離を検知する表示制御部１５（検知部）と、複数に分類された表示倍率のそれぞれに、互いに異なる大きさの２点間距離を対応付けた表示倍率判別情報を予め記憶する記憶部１６と、を備える。そして、液晶表示部１２は、プレビュー画像Ｐを表示している最中に、タッチパネル部１１の所定の１点をタッチし、その所定の１点をタッチするのと同時にまたは所定の１点をタッチしたまま予め定められた時間内に、所定の１点とは別の１点をタッチする操作である表示倍率変更操作が行われたとき、複数に分類された表示倍率のうち、表示倍率変更操作時に最初に検知された２点間距離に対応する表示倍率でプレビュー画像Ｐを表示する。
【００５５】
この構成によると、現時点の表示倍率を所望の表示倍率に変更する（現時点のプレビュー画像Ｐから現時点のプレビュー画像Ｐを拡大または縮小したプレビュー画像Ｐへの表示切り換えを行う）とき、２点のタッチ位置の間隔が所望の表示倍率に対応付けられた２点間距離となるように、タッチパネル部１１の所定の１点をタッチし、その所定の１点をタッチするのと同時にまたは所定の１点をタッチしたまま予め定められた時間内に、所定の１点とは別の１点をタッチする操作（すなわち、２点タッチ操作）を行うだけでよくなる。すなわち、現時点の表示倍率が所望の表示倍率になるまでタッチパネル部１１に対するタッチを繰り返し行ったり、タッチパネル部１１に対するタッチ後に何らかのジェスチャーを行ったりする必要がない（たとえば、タッチ位置をスライドさせたり、２点のタッチ位置の間隔を変動させたりする必要がない）。これにより、プレビュー画像Ｐの表示倍率を変更する操作において、ユーザーの手指の動きを減らすことができるので、ユーザーの操作性が向上する。
【００５６】
また、プレビュー画像Ｐの表示倍率の変更を受け付けるためのハードキーを設ける必要がないので、コストダウンを図ることができる。さらに、プレビュー画像Ｐの表示倍率の変更を受け付けるためのソフトキーを画面上に表示する必要もなくなるので、画面上のスペースを有効利用することができる（たとえば、表示倍率の変更対象となるプレビュー画像Ｐの表示スペースを大きくとることができる）。
【００５７】
また、本実施形態では、上記のように、液晶表示部１２は、表示倍率変更操作時に最初に検知された２点間距離に対応する表示倍率が現時点の表示倍率よりも高ければ、現時点のプレビュー画像Ｐから現時点のプレビュー画像Ｐを拡大したプレビュー画像Ｐへの表示切り換えを行い、表示倍率変更操作時に最初に検知された２点間距離に対応する表示倍率が現時点の表示倍率よりも低ければ、現時点のプレビュー画像Ｐから現時点のプレビュー画像Ｐを縮小したプレビュー画像Ｐへの表示切り換えを行う。すなわち、現時点のプレビュー画像Ｐから現時点のプレビュー画像Ｐを拡大したプレビュー画像Ｐへの表示切り換えを行いたい場合には、タッチパネル部１１の２点（所定の１点および所定の１点とは別の１点）をタッチするときの２本の指の間隔を現時点の表示倍率に対応付けられた２点間距離よりも大きくすればよく、現時点のプレビュー画像Ｐから現時点のプレビュー画像Ｐを縮小したプレビュー画像Ｐへの表示切り換えを行いたい場合には、タッチパネル部１１の２点をタッチするときの２本の指の間隔を現時点の表示倍率に対応付けられた２点間距離よりも小さくすればよい。これにより、現時点のプレビュー画像Ｐから現時点のプレビュー画像Ｐを拡大または縮小したプレビュー画像Ｐへの表示切り換えを行う操作が直感的で分かり易い。
【００５８】
また、本実施形態では、上記のように、液晶表示部１２は、表示倍率変更操作時に最初に検知された２点間距離に対応する表示倍率が現時点の表示倍率と同じであれば、現時点のプレビュー画像Ｐから現時点のプレビュー画像Ｐを拡大または縮小したプレビュー画像Ｐへの表示切り換えを行わない（現時点の表示倍率を変更せずにそのまま保持する）。すなわち、現時点の表示倍率が既に所望の表示倍率になっていれば、所望の表示倍率に対応する２点間距離となるよう表示倍率変更操作を行ったとしても、現時点のプレビュー画像Ｐから現時点のプレビュー画像Ｐを拡大または縮小したプレビュー画像Ｐに表示が切り替えられることはない。これにより、所望の表示倍率からかけ離れた表示倍率でプレビュー画像Ｐが表示されるのを抑制することができる。
【００５９】
また、本実施形態では、上記のように、液晶表示部１２は、複数に分類された表示倍率にそれぞれ対応付ける２点間距離の変更を受け付けるための設定変更画面ＳＳを表示し、タッチパネル部１１は、液晶表示部１２が表示した設定変更画面ＳＳでの設定変更操作を受け付け、記憶部１６は、タッチパネル部１１が受け付けた設定変更操作に基づき、表示倍率判別情報の更新を行う。ここで、手指の大きさはユーザーによって様々である。このため、ユーザーによっては、予め定められた２点間距離（指の間隔）での表示倍率変更操作を行い難いと感じる場合がある。このため、複数に分類された表示倍率にそれぞれ対応付ける２点間距離の変更が可能となっていれば、ユーザーの利便性が向上する。
【００６０】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００６１】
たとえば、上記実施形態の構成では、表示倍率を３段階に分類するようにしたが、本発明はこれに限らず、表示倍率を２段階に分類してもよいし、表示倍率を４段階以上に分類してもよい。
【００６２】
また、上記実施形態の構成において、図１５に示すように、プレビュー画像Ｐを配したプレビュー画面ＰＳ内に、３段階に分類された表示倍率（最小倍率、中間倍率および最大倍率）にそれぞれ対応付けられた２点間距離の大きさを視覚的に識別可能に示すガイド情報Ｇを表示させてもよい。これにより、ユーザーからすると、表示倍率変更操作時に、どのような間隔で２点タッチを行えばよいかが分かり易くなり、利便性が良い。なお、図１５に示したガイド情報Ｇでは、各表示倍率に対応付けられた２点間距離の大きさを線分の長さで示している。
【符号の説明】
【００６３】
１１  タッチパネル部
１２  液晶表示部（表示部）
１５  表示制御部（検知部）
１６  記憶部
１００  画像形成装置
１０１  操作パネル（表示入力装置）
Ｐ  プレビュー画像（画像）
ＳＳ  設定変更画面
【図１】
2014063428.tif 000003
【図２】
2014063428.tif 000004
【図３】
2014063428.tif 000005
【図４】
2014063428.tif 000006
【図５】
2014063428.tif 000007
【図６】
2014063428.tif 000008
【図７】
2014063428.tif 000009
【図８】
2014063428.tif 000010
【図９】
2014063428.tif 000011
【図１０】
2014063428.tif 000012
【図１１】
2014063428.tif 000013
【図１２】
2014063428.tif 000014
【図１３】
2014063428.tif 000015
【図１４】
2014063428.tif 000016
【図１５】
2014063428.tif 000017